(57)【特許請求の範囲】
【請求項１】
操作棒の位置移動によって、複数の対物レンズが移動可能であり、
対物レンズの移動時には、操作棒に取り付けられたレバーの回転によって、複数の対物レンズを持ち上げることができ、
またレバーの回転によって、光学軸の位置にある対物レンズを垂直に上げ下げすることにより、対物レンズを垂直に移動できる、
特に試料容器中の試料の顕微鏡検査における対物レンズの交換およびフォーカシングのための装置
【請求項２】
操作棒による水平移動用共通ガイドレール上で、対物レンズ保持具内に、対物レンズが垂直移動できるように設置されていることを特徴とする請求項１に記載の装置
【請求項３】
レバーが、鉤爪の形態に構成されていて、対物レンズ保持具に設けられた回し金と咬み合うようになっていることを特徴とする請求項２に記載の装置
【請求項４】
光学軸の位置にある対物レンズを作業位置に下げる際に、光学軸の位置にない対物レンズを上方位置に保持するための留め具が備えられていることを特徴とする請求項１〜３の一つに記載の装置
【発明の詳細な説明】
【０００１】
【発明の属する技術分野】
本発明は、試料容器中の試料の顕微鏡検査における対物レンズの取替えおよびフォーカシングのための装置に関するものである。
【０００２】
【従来の技術】
微小操作（パッチクランプ技術）を要するプレパラートの観察や電子生理的測定には、プレート台式の顕微鏡ではなくて、対物レンズレボルバーのフォーカシングを操作原理とする従来型の顕微鏡が頻繁に使用されている。その場合、プレパラートは様々な容器に入れられる。試料が水溶液の場合、縁の張り出したペトリ皿を使用することが多い。
【０００３】
【発明が解決しようとする課題】
探索や観察には通例二つの対物レンズで十分であるが、試料容器の取替時、顕微鏡プレート台の移動時および対物レンズの作業ポジションへの設定調整時に問題が起こる。通常型対物レンズレボルバーの場合は、操作時に円弧状に動くので、高感度のマニピュレーターに接触してしまうことがある。場合によっては対物レンズがペトリ皿の縁に突き当たって、少なくともプレパラートのｘ、ｙ座標が位置ずれしてしまうということもある。対物レンズが斜め旋回した場合（次の対物レンズへの切替時は通例そのようにする）、液体が水平方向に動いてしまい、同様に上記の問題が発生しかねない。
【０００４】
【課題を解決するための手段】
本発明ではこれらの欠点を取り除くことを課題としている。
この課題は請求項１記載の特徴に基づけば解消される。その他図面に表された主要部分は従属請求項の対象である。
本発明によれば、対物レンズを上方に垂直に動かし、場合によっては旋回しながら取り外せるので、操作素子の位置を移動させないで済むというところに非常に大きな利点がある。この利点は、対象試料がペトリ皿中の水溶液試料であって、そのペトリ皿の中に部分的に対物レンズを浸け入れることができ、しかも側面に微小操作マニピュレーターおよび微小電極が備えられる条件の場合に、特に、有利である。
【０００５】
本発明によれば、対物レンズが二つある場合に、両方とも作業位置から外れたポジションが取れるので好都合である。
さらには、フォーカシングの際とか、対物レンズや試料の取替え時に、プレート台の位置調整が省けるので効率的である。この点が、本発明の取替え装置を非常に魅力的なものにしている。但し、プレート台は重量を有し、顕微鏡台架から離れた状態でも揺れに安定なものとする。
【０００６】
本発明による操作素子は、対物レンズ取替えのための位置移動および対物レンズの上下移動のための回転運動という二重機能を持っており、その点も長所になっている。この二重機能を内包するため、これら両運動用にハンドルは一つしか必要でない。
【０００７】
旋回レバーとして構成した特殊形態ハンドルと調整機能を持つ取替え装置とにより、対物レンズを水溶液中に静かに入れることが可能である。トラブルの原因となる液体の動きは最小限に抑えることができる。しかも、旋回レバーの照準方向によって取替え装置の操作状態が把握可能である。
【０００８】
そのほか、遮断機能をもたせた機構であることから、操作素子の位置移動と回転運動が同時に起こらないようになっているのも利点である。この特徴により、顕微鏡使用者は常に問題のない限定条件下で作業できるという保証が得られる。
【０００９】
【発明の実施の形態】
以下では本発明を図面に基づき詳しく説明する。
図中の符号はそれぞれ次の構成部を表している :
【００１０】
図１は、台架、接眼レンズ系０、ペトリ皿ＰＳ付プレート台ＴＩ、照明Ｂおよび対物レンズのフォーカシングのためのフォーカシングダイヤルＦＫから成る顕微鏡Ｍの例である。
そこには、操作レバーで選択できる対物レンズ０１および０２が描かれている。尚、０２は顕微鏡光学軸の位置にある。
【００１１】
対物レンズ保持具ＯＨ１およびＯＨ２は、ここには描かれていない対物レンズ０１および０２の保持固定用のもので、それらの取付けのため垂直ガイドレールＶＦ上を垂直に移動させることができる。
垂直ガイドレールは、位置固定支持部Ｔと結合するガイドバーＳＳ上にあって軸受けＬ１、Ｌ２およびＬ３の上方を水平に移動できるスライドヘッドＳの構成部分である。
軸受け部Ｌ３には、さらに固定用バネＲＦが取り付けられており、ガイドバーＳＳの対応固定点ＲＰで咬み合うようになっている。
【００１２】
回転レバーＨと結合している操作ハンドルＫ付き操作棒ＳＺＳはスライドヘッドＳと連結している。尚、回転レバーについては後程さらに詳しく取り上げる。操作棒はスライドヘッド用連結棒として作動するように、同時に、またレバーＨを連動させるため回転運動ができるように、軸受けＬ４、Ｌ５の上方位置で、スライドヘッドに蝶番式に固定されている。
【００１３】
図２にはさらに支持部に固定された留め具ＡＬ１、ＡＬ２が描かれている。その機能についても後程取り上げる。
図３に描かれているように、対物レンズ保持具ＯＨ１は顕微鏡光学軸の位置にあるが、一方対物レンズ保持具ＯＨ２は作業位置から外れた位置にある。
つまり、垂直移動可能な対物レンズ保持具ＯＨ２は、留め具ＡＬ２により位置低下が妨げられ、上方位置に留まっている。
それに対し保持具ＯＨ１は隣接保持具の作用外にあって、下方に位置している。
対物レンズＯＨ１、ＯＨ２およびスライドヘッドＳの水平移動については、図４ａおよび４ｂを基にさらに詳しく説明する。
【００１４】
図２にも描かれたレバーＨは、回転式になっていて、操作棒ＳＺＳの操作により上方ポジションと下方ポジションとの間で回転させることができる。
図４ａはレバーの下方ポジションを表したもので、レバーは回し金ＭＮを通じて対物レンズ保持具と連結している。
レバーは鉤爪状になっていて、鉤爪上部は鉤爪下部より短く作られている。
図４ａから容易に判るように、対物レンズ保持具は、レバーＨと回し金ＭＮの作用を受けて、垂直ガイドレールＶＦ上を移動することが可能であり、垂直に持ち上げることができる。
【００１５】
レバーＨは、位置を下方に設定した場合に、支持部ＴのノッチＮＴと咬み合う突起部ＨＮを有している。
操作棒ＳＺＳおよびレバーＨによりＯＨを上方へ移動させた場合、突起部ＨＮはノッチから外れ、それと同時にスライドヘッドＳは、操作棒ＳＺＳの作動によってガイドバーＳＳ上を両対物レンズ保持具ＯＨ１、ＯＨ２と共に移動できるようになる。その場合レバーＨはノッチ枠ＮＬを伝ってスライド移動する。
その際同時に、対物レンズ保持具ＯＨ１も、自身の下方ポジションから外れ、また、上方ポジションにあって留め具ＡＦ２に固定されているもう一方の対物レンズ保持具も、同様に少し持ち上げられ、移動可能になる。
【００１６】
このような状態でスライドヘッドＳを移動させ、対物レンズ保持具の位置交換を行う。即ち、今度は別な方の対物レンズ保持具を光学軸の位置に設定する。
ＳＺＳの回転によりレバーＨを再び低下させても、対物レンズ保持具ＯＨ１は、もう一方の留め具ＡＦ１により上方ポジションに固定されたままである。
【００１７】
このような結果が得られるのは、既述したように上方部が下方部よりも小さく作られていて、回し金から外れるようになっているレバー鉤爪の形態によるものである。
それに反して他方の対物レンズ保持具ＯＨ２は留め具から外れた状態で、作業位置にまで下げられる。この位置は、レバーＨがノッチ枠ＮＬ末端ＮＬＥの後方部分で咬み合うので再現可能である。
【００１８】
レバーＨを再度持ち上げると、回し金ＭＮを通じて下方の対物レンズ保持具ＯＨ２も移動し、その大きいほうの下方鉤爪の末端が上方の対物レンズ保持具に接触し、そのためその保持具が留め具から少し持ち上がるため、両対物レンズ保持具はそれぞれ別のポジションに自由に移動できるようになる。
【００１９】
対物レンズ保持具を一つだけ使用する場合でも上記の内容に準じて行うことができる。
その場合、レバーは一つだけの対物レンズ保持具を連動対象として回し金と咬み合うことになる。この対物レンズ保持具には、例えば試料容器中の試料に損傷を与えずに操作し得るように、上方ポジションでの保持用としての留め具が備えられている。
【図面の簡単な説明】
【図１】顕微鏡側面図
【図２】対物レンズ取替えユニットの底面図
【図３】図２のＢ―Ｂ線断面図
【図４】（ａ）は図３のＡ１―Ａ１線断面図、（ｂ）Ａ２―Ａ２線断面図
【符号の説明】
M     顕微鏡
O     接眼レンズ系
K    対物レンズ取替え用操作ハンドル
OH1、OH2    対物レンズ保持具
O1、O2    対物レンズ
TI    プレート台
B      照明
FK     フォーカシング用ダイヤル
PS    ペトリ皿
T     位置固定用支持部
S スライドヘッド
SS ガイドバー
SZS 操作棒
VF 垂直ガイドレール
L1、L2、L3      軸受け部
RF     固定用バネ
RP 固定点
AL1、AL2 留め具
H 回転レバー
HN レバー突起部
NT ノッチ
NL ノッチ枠
NEL ノッチ枠末端
MN 回し金
【図１】
0004138150.tif 000002
【図２】
0004138150.tif 000003
【図３】
0004138150.tif 000004
【図４】
0004138150.tif 000005